Podtech/llm-jp-corpus-v4-ja_patent huggingface dataset:
(57)【要約】      （修正有）【課題】観察対象の授業ごとに異なる授業展開ポイントについて、客観的視点から分単位で授業の展開状況を観察・記録・分析できるシートを提供する。【解決手段】観察対象の授業ごとに異なる授業展開ポイント欄１と分単位の時間欄２と、それらが交差する授業展開記録欄３と分析欄４を有する。授業展開を分単位で観察しつつ、該当するポイントと交差する授業展開記録欄３に○印をいれることで、授業展開を記録していく。【選択図】図３
0003161551.tif 000002
【実用新案登録請求の範囲】
【請求項１】
シート左端に、観察対象の授業ごとに異なる授業展開ポイント欄と、シート上端に左から右へ分単位の時間欄、それらの交差する箇所に授業展開状況を記録する授業展開記録欄を有し、その記録した状況を数値化して記入する分析欄を右端に配していることを特徴とするシート。
【請求項２】
請求項１に記載のシートにおいて、前記時間欄は、時間前、時間中、時間後に関する欄を含むことを特徴とするシート
【請求項３】
請求項１に記載のシートにおいて、前記分析欄は、数値、割合（％）に関す欄を含むことを特徴とするシート
【考案の詳細な説明】
【技術分野】
【０００１】    本考案は、教員の授業展開を客観的に記録・分析するシートに関するものである。
【背景技術】
【０００２】  従来は、授業観察の任にあたる人が授業中に、指定されたポイントに関して各自の視点からメモをとるなどして、観察・記録にあたり、授業終了後にそれらをまとめて、レポートしていた。
【先行技術文献】
【特許文献】
【０００３】
【特許文献１】    なし
【非特許文献】
【０００４】
【非特許文献１】    「広島県立呉宮高等学校授業評価表」  河合塾２００８ガイドライン、１１月号、Ｐ２９掲載
【考案の概要】
【考案が解決しようとする課題】
【０００５】    従来は授業観察の任にあたる人が、指定されたポイントに関して、各自の視点から観察・記録するため、主観的ないし印象に流れやすく、授業全体についての問題点を授業担当者に具体的に伝えることができず、授業改善の資料としては偏りがあるものであった。本考案は授業展開状況を客観的に観察・記録・分析し、問題点を発見し伝えることで前述の点を解決しようとするものである。
【課題を解決するための手段】
【０００６】    本考案では、観察対象の授業ごとに異なる授業展開ポイントについて、授業の展開状況を「客観的」に「分単位」で記録し分析できるシートを利用することで、課題を解決している。
【考案の効果】
【０００７】    当シートを利用することで、授業展開の状況と観察対象の授業ごとに異なる授業展開ポイントの実施状況が一目で確認できるようになるため、授業全体における問題点を発見しやすくなる。
【図面の簡単な説明】
【０００８】
【図１】授業展開記録分析シートの全体図である。
【図２】同分析シートの要点部拡大図である。
【図３】同分析シートの要点部拡大図である。
【考案を実施するための形態】
【０００９】    シート左端には、観察対象の授業ごとに異なる授業展開ポイント項目が縦に並んでおり、同上端には左から右へ、分単位で時間が配置されている。（５０分授業なら、時間前５分、時間中１〜５０分、時間後５分までの枠）それらの交差する箇所が、授業展開状況の記録部分となっている。授業の展開に沿って、その交差する箇所に○印を記入していくことで、記録をしていく。
【実施例】
【００１０】    以下添付の図に従い、実施例を説明する。  授業観察の任にあたる人は授業開始時刻よりも前に教室にスタンバイして、授業開始と同時に記録ができるようにしておくことがのぞましい。時間欄（分単位）２ごとに授業では何をしているのかを、授業展開ポイント欄１の項目から探して、交差する授業展開記録欄３  に○印をいれていく。例えば、１分目から授業を始めていない場合は、時間欄２の「１分目」と授業展開ポイント欄１の「遅刻」が交差している  授業展開記録欄３の部分に○印を入れる。同様に、２分目にも授業が始まっていなければ、続けて該当欄に○印をいれていく。このように分単位で、その時間の授業の状況を記録していく。【００１１】    分析欄４には、記録終了後に、○の数の合計を記入して、続けて各授業展開ポイントでどれくらい時間がかかっていたかの割合を計算して、全体のバランスを数値で確認できるようにする。
【符号の説明】
【００１２】１  授業展開ポイント欄
２  時間欄（分単位）
３  授業展開記録欄（○を記入）
４  分析欄（○の数を数値化）
【図１】
0003161551.tif 000003
【図２】
0003161551.tif 000004
【図３】
0003161551.tif 000005
(57)【要約】      （修正有）【課題】携帯に便利であるとともに、不要の時に手が塞がることがなく、取り扱いに優れる等の機能性の他、ファッション性にも優れたうちわを提供する。【解決手段】コンサート等の各種イベントで用いる樹脂製のうちわであって扇部１と柄４とが別体で形成され、扇部１と柄４との着脱機構に樹脂バックルを用いる。樹脂バックルは、扇部１の要に形成した雌バックル体２と、柄４の一端に設けた雄バックル体３とで一対の汎用品で、筒状の雌バックル体２に雄バックル体３を挿入し、雄バックル体３の弾性片３１を雌バックル体２の側部の窓孔２１に係止させて両体２、３を結合させる。柄４の他端にはストラップ５が取り付けられ、ストラップ５は、同じく雌バックル体６、雄バックル体７とで一対の樹脂バックルにより長さ調節且つ締結自在とする。【選択図】図１
0003157106.tif 000002
【実用新案登録請求の範囲】
【請求項１】
扇部１と柄４とを別体として形成し、扇部１の要と柄４の一端とを着脱自在とし、柄４の他端にストラップ５を設けたうちわ。
【請求項２】
扇部１の要と柄４の一端との着脱機構を樹脂バックルで形成した請求項１に記載のうちわ。
【考案の詳細な説明】
【技術分野】
【０００１】
この考案はうちわ、特にコンサート等の各種イベントで用いるうちわに関するものである。
【背景技術】
【０００２】
うちわは、夏場に涼をとるための生活道具としての用途の他、扇面に商品の図柄や店舗の名入れ等を施して配布するなどの広告・販促の商業的用途に広く使われてきた。また、近年ではコンサートを始めとする各種イベントにおけるグッズとしても用いられている。その材質は、古来からの竹と紙によるものの他、生産性に優れた樹脂製のもの（ポリうちわ）が広く用いられている。さらに、特許文献１に示すように、携帯うちわと称して持ち運びの利便性を図ったものも提案されている。
【先行技術文献】
【特許文献】
【０００３】
【特許文献１】特開２００２−１９９９１８号公報
【考案の概要】
【考案が解決しようとする課題】
【０００４】
各種イベントにおいてうちわを携帯する場合、柄を含む全長が長いためにバッグから柄が突出するなど携帯には甚だ不適であった。また、使用中は手が塞がり、コンサート会場等の人混みの中で取り扱いも不便であった。さらに。特許文献１のような携帯うちわは、構成が複雑で製作コストが高価であり、使用形態に面白味が無く、イベント用のうちわとしては全く不適である。
【０００５】
この考案は、これらの課題を解決することを目的とするもので、携帯に便利であるとともに、不要の時に手が塞がることがなく、取り扱いに優れる等の機能性の他、ファッション性にも優れたうちわを提案することを目的とするものである。
【課題を解決するための手段】
【０００６】
上記の目的を達成するため、この考案のうちわは、扇部１と柄４とを別体として形成し、扇部１の要と柄４の一端とを着脱自在とし、柄４の他端にストラップ５を設けるものである。
【０００７】
また、上記のうちわにおいて、扇部１の要と柄４の一端との着脱機構を樹脂バックルで形成するものである。
【考案の効果】
【０００８】
この考案のうちわは、扇部１と柄４とを別体として形成し、扇部１の要と柄４の一端とを着脱自在としたので、扇部１と柄４とを分離して収納することができ、バッグから柄４が突出することがなく、携帯に便利である。
【０００９】
また、柄４の他端にストラップ５を設けたので、うちわを首に掛けるなどして不要の時に手が塞がることがなく、各種イベントの人混みの中で落としたりすることもなく、取り扱いに優れるものである。さらに、ストラップ５を手首に巻いたり、ズボンのベルトループに通したりするなどの従来にない変化に富んだ使用形態が可能であり、ファッション性にも優れるものである。
【００１０】
また、扇部１の要と柄４の一端との着脱機構を樹脂バックルで形成することで、汎用品の樹脂バックルの適用で製作コストの低減を図ることができるとともに、扇部１と柄４との着脱も容易である。
【図面の簡単な説明】
【００１１】
【図１】図面はこの考案の実施例で、扇部１と柄４を分離した状態の平面図。
【図２】着脱の説明図で、扇部１と柄４を分離した状態の斜視図。
【図３】扇部１と柄４を結合した状態の斜視図。
【図４】首に掛けた状態の説明図。
【図５】様々な使用形態の説明図。
【考案を実施するための形態】
【００１２】
以下にこの考案の実施形態について、図面を用いて具体的に説明する。
図面はこの考案の実施例で、コンサート等の各種イベントで用いる樹脂製のうちわである。図１に示すように、このうちわは、扇部１と柄４とが別体で形成され、扇部１と柄４との着脱機構に樹脂バックルが用いられている。樹脂バックルは、扇部１の要に形成した雌バックル体２と、柄４の一端に設けた雄バックル体３とで一対の汎用品で、筒状の雌バックル体２に雄バックル体３を挿入し、雄バックル体３の弾性片３１を雌バックル体２の側部の窓孔２１に係止させて両体２、３を結合させる一般的な構造である。柄４の他端にはストラップ５が取り付けられ、ストラップ５は、同じく雌バックル体６、雄バックル体７とで一対の樹脂バックルにより長さ調節且つ締結自在とされている。
【００１３】
扇部１と柄４の着脱方法を図２及び図３に示す。図２に示すように、柄４の一端の雄バックル体３を雌バックル体２に挿入すると、弾性片３１が窓孔２１から突出して係止され、扇部１と柄４が容易に離脱することなく一体に結合される。図３に示すように、窓孔２１から突出した弾性片３１を側方から押し込めば係止が解除され、柄４を引き抜いて扇部１と柄４とが分離される。
【００１４】
このうちわの使用形態を図４及び図５に示す。図４は、ストラップ５を首に回してうちわを首に掛けた状態である。このように、各種イベント会場の人混みの中でも手が塞がることがなく、うちわを落としたりすることもない。
【００１５】
図５中、（ａ）は、ストラップ５を手首に巻いてコンサートやスポーツ観戦で声援を送る様子である。（ｂ）は、ズボンのベルトループにストラップ５を通してうちわを携帯した状態である。（ｃ）は、手提げバッグの持手にストラップ５を通した状態である。（ｄ）は、扇部１と柄４を分離して手提げバッグ内に収納する様子である。これらのように、従来にない様々な使用形態が可能である。
【００１６】
以上、実施例について説明したが、この考案のうちわの構成及び使用形態はこれに限定されるものではない。例えば、長さが異なるストラップ５を設けた数種類の柄４と扇部１をセットにして販売することもでき、長さが異なるストラップ５を柄４と着脱自在とし、用途に応じて使い分け可能としてもよい。また、工夫次第で実施例に示した以外の多様なな使用形態が可能であり、面白味に富んでファッション性に優れるので、コンサートやスポーツ観戦、各種イベントにおけるグッズとして用いて有益である。
【符号の説明】
【００１７】
１  扇部
４  柄
５  ストラップ
【図１】
0003157106.tif 000003
【図２】
0003157106.tif 000004
【図３】
0003157106.tif 000005
【図４】
0003157106.tif 000006
【図５】
0003157106.tif 000007
(57)【要約】      （修正有）【課題】透明性や寿命に影響を与えない素材を用いた落下防止板の効率よい設置により、装置の安全性を高め、事故を防止する建築物の屋上に設置されたトップライトからの落下防止板を提供する。【解決手段】トップライトフレーム１とトップライトドーム５との間にクッション２ａ、２ｂや押え金具４、固定ボルト６を用いて透明性や寿命などの点で秀れた超耐候性ポリカーボネート板３を固定することにより、装置の安全性が高いトップライトからの落下防止板を構成する。【選択図】図１
0003157191.tif 000002
【実用新案登録請求の範囲】
【請求項１】
トップライトフレームとトップライトドームとの間にクッションや押え金具、固定ボルトを用いて超耐候性ポリカーボネート板を固定することにより、装置の安全性を高め、万が一の事故を未然に防ぐことができる落下防止板
【考案の詳細な説明】
【技術分野】
【０００１】  本考案は、トップライトに付属する落下防止板に関するものである。
【背景技術】
【０００２】  従来は、トップライトに付属する特別な安全装置はなく、万が一の事故の危険性を秘めていたといえる。
【発明が解決しようとする課題】
【０００３】  近年、学校の屋上に設置されているトップライトより、生徒が誤って階下に落下し命を落とすという痛ましい事故が起こっている。このような悲惨な事故を二度と繰り返さないためにも、より安全性の高い予防策が求められる。落下防止板の効率よい設置により、装置の安全性を高め、前述のような事故を未然に防ごうという狙いである。
【課題を解決するための手段】
【０００４】  本考案は、トップライトフレームとトップライトドームとの間にクッションや押え金具、固定ボルトを用いて超耐候性ポリカーボネート板を固定することにより、装置の安全性はもちろん、透明性や寿命などの点においてもカバーしている。
【考案の効果】
【０００５】  第一に事故防止につながる。さらに人命に係る事故の場合には、よりいっそうの予防効果が望める。また、落下防止板の素材として超耐候性ポリカーボネート板を用いているので、透明性にも全く影響を与えない。
強度の安全確認についても、７５Ｋｇの人が１．５ｍの高さの位置から落下するシチュエーションで衝撃試験を行ったところ、製品の異常また破損はなかった。
【考案を実施するための最良の形態】
【０００６】  まずトップライトフレームの上部にクッションを敷き、次に落下防止板にあたる厚さ５ｍｍの超耐候性ポリカーボネート板を載せ、そのポリカーボネート板の上に再びクッションを重ね、さらに押え金具を重ねて、トップライトドームを取り付けた後、固定ボルトで締め付けて固定する。
【図面の簡単な説明】
【０００７】
【図１】本落下防止板とトップライトとの結合部分の断面図である。
【符号の説明】
【０００８】  １          トップライトフレーム
２ａ、２ｂ  クッション
３          厚さ５ｍｍの超耐候性ポリカーボネート板
４          押え金具
５          トップライトドーム
６          固定ボルト
【図１】
0003157191.tif 000003
(57)【要約】      （修正有）【課題】バンプの接合部に発生する応力を適度に分散させたり、応力を緩和させることができる半導体チップを提供する。【解決手段】バンプが形成された半導体チップにおいて、電気信号接続用のバンプの他に少なくとも半導体チップの四隅に補強用バンプを形成する。【選択図】図１
0003157196.tif 000002
【実用新案登録請求の範囲】
【請求項１】
バンプが形成された半導体チップにおいて、電気信号接続用のバンプの他に少なくとも半導体チップの四隅に補強用のバンプを形成することを特徴とする半導体チップ
【考案の詳細な説明】
【技術分野】
【０００１】  本考案はフリップチップボンディングを行うバンプを有する半導体チップに関する。
【背景技術】
【０００２】  半導体チップをフェイスダウンで実装するフリップチップボンディングは、配線が不必要なことから高周波動作させる高性能モジュールの実装や小型化を狙ったモジュールへの実装では欠くことのできない技術となっている。フリップチップボンディングを行う半導体チップにはバンプを形成するが、金、銅、錫などの金属を使用し、半導体チップの表面に形成され、超音波と加熱などの手段で基板上の金属に接合する。またバンプはめっきあるいはボールボンディングのボール部のみ残したスタッドバンプで形成されることが多い。【０００３】  図３はフリップチップボンディングを行うための半導体チップ１を示すが、電気信号の入力及び出力に必要な電極のみバンプ３を形成している。バンプはめっきを使用し金属は酸化が起こりにくい金を使用するのが一般的である。図４に示すようにこの半導体チップ１を外囲器９にフェスダウンで実装する。その後リッド８を外囲器に接着する。半導体チップが発熱素子である場合、リッド８は半導体チップの裏面に接着して放熱板としての機能を持たせることも必要になる。
【考案の概要】
【考案が解決しようとする課題】
【０００４】  図３は電気的接続が必要な電極にのみバンプが形成されているが、強度的には不十分なことが予想される。例えば熱サイクル試験や熱衝撃試験による熱応力がバンプ接合部に発生すると接合部が剥離したり、リッドを半導体チップに接着する場合に機械的な応力がかかるため、バンプ数が少ない（接合部の面積が小さい）とチップが脱離することが発生する。また図３に示されるようにバンプの配置は電極に対して行われるので、バンプが応力を適度に分散するように配置されるとは限らない。半導体チップ脱離を防止するために補強用のバンプを形成することが必要となる。
【課題を解決するための手段】
【０００５】  上記課題を解決するために本考案では、電気信号接続用バンプの他に少なくとも半導体チップの四隅に補強用のバンプを形成することを特徴とする。
【考案の効果】
【０００６】  本考案によれば、補強用バンプを半導体チップに形成するため、全体のバンプ接合面積が増大し、熱的な応力や機械的な応力がかかっても単位面積当たりの応力は緩和される。また補強用バンプは少なくとも半導体チップの四隅に形成するため、応力は補強用バンプに均等に分散されることになり、半導体チップの脱離は起こり難くなる。
【図面の簡単な説明】
【０００７】
【図１】本考案を実施する半導体チップを示す図
【図２】本考案を実施する別の半導体チップを示す図
【図３】従来の半導体チップを示す図
【図４】半導体チップを外囲器にフリップチップボンディングをした図
【考案を実施するための形態】
【０００８】  以下本考案の実施形態について図を用いて説明する。
【実施例】
【０００９】  図１は本考案の一つの実施形態に係る半導体チップ１を示しており、高周波電力用電界効果トランジスタ（ＦＥＴ）である。ゲート電極パッド２、二つのソース電極パッド３、そしてドレイン電極パッド４にそれぞれ電気信号接続用バンプを形成している。これらのバンプは電気信号を入力する、出力するためのものであり、半導体素子の電極パターンの構成によってはバンプの配置は変わることが想定される。従って半導体チップを基板に接合した場合、応力あるいは外力に対して十分な強度を保証するものではないことは明らかである。【００１０】  そこで半導体チップ１の四隅に補強用バンプ５を形成することによって、外力が加わった場合、あるいは外力に相当する応力が発生した場合に電気信号接続用バンプに加わる偏った応力を分散することが可能になる。またバンプ接合面積の和は補強用バンプを形成することにより増大するため単位面積当たりの力も緩和する。これらの効果は補強用バンプを形成していない半導体チップ（図３）と比較すると明らかである。【００１１】  また補強用バンプ５の形状は半導体チップの四隅を保持できるものであれば図１に示す形状に限定されない。またその面積は大きいほど補強の効果は十分であるが、半導体チップの面積も大きくなるため経済合理性も考慮して決めるべきである。【００１２】  半導体チップのパッケージ、あるいは基板への接合は超音波、加熱のできるフリップチップボンダーを使用する。この場合バンプ金属は金、銅、錫などが用いられる場合が多い。これらの金属はめっきで形成しても良いし、スパッタなどの蒸着によって形成しても良く特に限定されない。【００１３】  図４はバンプを金のボールボンディングにより形成したものを示す。これはボール部を半導体チップの電極に残してワイヤ部を引きちぎって形成する（スタッドバンプ６）。この場合にも図１と同様に補強用バンプを形成することが出来る。こうすることにより図１と同様の効果が期待できる。【００１４】  図４はバンプを形成した半導体チップ１を外囲器９にフリップチップボンディングした様子を示している。さらにリッド８を半導体チップの裏面に接触するように半田付けするとリッド８は放熱の役割を果たすため、発熱する半導体チップに対しては特に有効な実装となる。この場合半導体チップには外力が強く加わることになるので本考案の補強用バンプは特に有効なものとなる。【００１５】  半導体チップのフリップチップボンディングでは接合した半導体チップの下面側隙間に樹脂を充填することが行われている（樹脂のアンダーフィル）。しかしアンダーフィルは高周波特性を悪化するものであり、また高温動作では樹脂が劣化するなど厳しい環境での使用には耐え得ない。アンダーフィルを使用しないで接合強度が確保できれば用途の限定は無くなる。
【産業上の利用可能性】
【００１６】  本考案は高周波電力用トランジスタ、インバータモジュールなどに使用されるパワースイッチング素子、ＬＥＤなどに適用することが出来る。
【符号の説明】
【００１７】  １        半導体チップ
２        ゲート電極パッド、バンプ
３        ソース電極パッド、バンプ
４        ドレイン電極パッド、バンプ
５        補強用バンプ
６        スタッドバンプ
７        電極
８        リッド
９        外囲器
【図１】
0003157196.tif 000003
【図２】
0003157196.tif 000004
【図３】
0003157196.tif 000005
【図４】
0003157196.tif 000006
(57)【要約】【課題】頭髪の生え際から前頭部に亘って軽く顔の上部と接触させ、顔の上面から全面近くを透明盤で覆うようにして、スプレー霧滴が顔表面に吹き付ける不都合を完全に回避して、ヘアスプレーを安全に行えるようにしてヘアスプレー防止用のフェイスカバーの提供。【解決手段】全体が凸曲面状に形成した透明なカバー本体１の上縁に沿って、着脱自在の柔軟性リブ２を設け、カバー本体１の下部に片手で把持できる取手４を設けて成ることを特徴とするフェイスカバー。【選択図】図１
0003157195.tif 000002
【実用新案登録請求の範囲】
【請求項１】
全体が凸曲面状に形成した透明なカバー本体の上縁に沿って、着脱自在の柔軟性リブを設け、カバー本体の下部に片手で把持できる取手を設けて成ることを特徴とするフェイスカバー。
【請求項２】
柔軟性リブは、カバー本体の端部を挟持できる断面Ｕ字状に形成でき、合成樹脂製の弾性材料で成形すると共に、洗滌できるようにして成ることを特徴とする請求項１記載のフェイスカバー。
【考案の詳細な説明】
【技術分野】  本考案は、ヘアスプレーなどの頭髪に吹き付ける霧滴が化粧済みの顔面に付着して化粧くずれを生じないようにし及び料理のとき、天ぷら油等の熱い油から顔を守るフェイスカバーに関する。
【背景技術】  この種のフェイスカバーには、顔面と密着する気密性の高いフェイスカバーが知られている（例えば、特許文献１参照。）。
また、目，鼻，口に相当する箇所に穴を設けたヘアスプレーによるかぶれ防止マスクが知られている（例えば、特許文献２参照）。
【先行技術文献】
【特許文献】
【特許文献１】  実用新案登録第３１２５５６４号公報
【特許文献２】  特開２００５−９５５３９号公報
【考案の概要】
【考案が解決しようとする課題】  上述の先行文献によれば、特許文献１は使用時、顔面に密着し、化粧くずれを生ずる不都合があると共に、特許文献２は、目，鼻，口などに相当する箇所に穴が設けられ、この穴からスプレーの霧滴が侵入して同様に化粧くずれが生じて、顔面全体を完全にカバーできないという不都合があった。
本考案は、叙上の点に着目して成されたもので、頭髪の生え際から前頭部に亘って軽く顔の上部と接触させ、顔の上面から全面近くを透明盤で覆うようにして、スプレー霧滴が顔表面に吹き付ける不都合を完全に回避して、ヘアスプレーを安全に行えるようにしてヘアスプレー防止用のフェイスカバーを提供することを目的とする。
【課題を解決するための手段】  本考案は以下の構成を備えることにより上記課題を解決できるものである。
（１）全体が凸曲面状に形成した透明なカバー本体の上縁に沿って、着脱自在の柔軟性リブを設け、カバー本体の下部に片手で把持できる取手を設けて成ることを特徴とするフェイスカバー。
（２）柔軟性リブは、カバー本体の端部を挟持できる断面Ｕ字状に形成でき、合成樹脂製の弾性材料で成形すると共に、洗滌できるようにして成ることを特徴とする前記（１）記載のフェイスカバー。
【考案の効果】  本考案によれば、取手を片手で持ち、カバー本体の上縁の柔軟性リブを化粧済みの顔の上部に沿って当接させ、顔と接触するのを回避でき、他の片手でヘアスプレーを把持して、バルブ釦を押圧してスプレーを頭髪に吹き付けて、保形作業を行うことができる。
この場合、スプレーのノズルにより、噴霧した霧滴は専ら頭髪に向けられるが、不用意な顔への吹き付けは、カバー本体によって防止され顔を安全に保護される。
カバー本体は、上縁の柔軟性リブを介して顔の上部に片手で取手を持ち、軽く当接させるだけで、カバー本体の凸曲面状の形状により、顔表面との接触を防ぐことができ、したがって、常に顔表面は非接触状態に保持して、頭髪へのヘアスプレーの吹き付けによる髪形の保持を完全に行わせることができる。
【図面の簡単な説明】
【図１】本考案に係るフェイスカバーの正面図
【図２】図１の側面図
【図３】図２のＩＩＩ−ＩＩＩ線拡大断面図
【図４】使用状態を示す斜視図
【考案を実施するための形態】
以下本考案の一実施例を図面と共に説明する。
【実施例】  図面について説明すれば、１は全体が凸曲面状に形成した透明なカバー本体、２は前記カバー本体１の上縁に沿って設けられる着脱自在の柔軟性リブで、例えば合成樹脂製の弾性材料で形成され、断面Ｕ字状の挟み込み部３を設けてある。４は、前記カバー本体１の下部の所望箇所に設けられる取手である。
使用に際し、使用者は片手で取手４を把持し、カバー本体１の上縁に設けた柔軟性リブ２を前頭部に軽く接触させ、カバー本体１を確実に顔表面を覆うようにして、他方の片手で持ったヘアスプレーの押し釦を押下してノズルより気化したヘアー保形液を噴出させ、霧滴状に髪表面に吹き付けて保形することができる。
顔表面は、カバー本体１によって完全に防護されているので、ヘアスプレーの霧滴が吹き付けられる虞れなく、安全なヘアスプレー作用を行うことができる。
多数回の使用で柔軟性リブ２が汚れた場合は取外して洗濯して反覆使用できる。
【符号の説明】１  カバー本体
２  柔軟性リブ
３  挟み込み部
４  取手
【図１】
0003157195.tif 000003
【図２】
0003157195.tif 000004
【図３】
0003157195.tif 000005
【図４】
0003157195.tif 000006
(57)【要約】【課題】敷き布団における布団の上げ下ろし作業の簡素化、並びに押し入れ等への収納性の改善を実現する敷き布団を提供する。【解決手段】布状の布団皮１，２内に、適宜厚さとクッション性を備えると共に、所定の保形性を備えた板状の中芯体３と、中芯体の上層に適宜厚さの布団綿で形成した中綿体４を積層して充填され、且つ前後方向で４分割して並列すると共に、分割個所の表裏面で交互に連結してなり、１枚の敷き布団で、綿詰め布団とマットレスの重ね敷きと同等の作用をなし、且つ保形性によって４つ折り収納を簡単に実現する。【選択図】図１
0003157167.tif 000002
【実用新案登録請求の範囲】
【請求項１】
布状の布団皮内に、適宜厚さとクッション性を備えると共に、所定の保形性を備えた板状の中芯体と、前記中芯体の上層に適宜厚さの布団綿で形成した中綿体を積層して充填され、且つ前後方向で４分割して並列すると共に、分割個所の表裏面で交互に連結してなることを特徴とする敷き布団。
【請求項２】
中綿体と表側布団皮をキルティング状に縫合してなる請求項１記載の敷き布団。
【請求項３】
中芯体が、上面を細かな凹凸面としたプロファイルウレタンで形成された請求項１又は２記載の敷き布団。
【考案の詳細な説明】
【技術分野】
【０００１】
本考案は、敷き布団に関するものである。
【背景技術】
【０００２】
敷き布団は、一般に袋状の布団皮内に、所定の詰め物（木綿、羊毛、化学繊維等の中芯）を充填して形成されている。これらの敷き布団は、収納に際して特に折り畳まれるものであるが、全体が柔軟であるため、二つ折りや三つ折りにして、押し入れ等に収納されるが、より以上コンパクトに折り畳むには、折り畳み状態を維持するための補助部材（乱れ防止バンド）を必要とする（特許文献１）。
【０００３】
また通常敷き布団は、吸湿機能に優れているが経年変化によってクッション性の機能低下が生ずるので、クッション性低下を補完するために通常は、敷き布団の下にマットレスを敷くことで解消している。
【０００４】
保形性に優れたマットレスは、表裏より適宜間隔で分割切込を設けることで、三つ折りや四つ折りを可能としているものである（特許文献２）。
【先行技術文献】
【特許文献】
【０００５】
【特許文献１】特開２００１−５７９２８号公報。
【特許文献２】登録実用新案３０５５８３７号公報。
【考案の概要】
【考案が解決しようとする課題】
【０００６】
綿を詰めた敷き布団は吸湿に優れているが、クッション性や収納時の折り畳み保形性に課題があり、またマットレスは、吸湿性に問題がある。
【０００７】
また綿詰め布団の問題（クッション性に難がある）を解消するために、一般的には、クッション性に優れたマットレスの上面に綿詰め布団を重ね敷きして使用することが多用されているが、布団を敷いたり、押し入れに収納する際には、綿詰め布団とマットレスを別々に折り畳み収納する必要があり、作業が煩雑である。
【０００８】
そこで本考案は、作業性にもまた収納性にも優れた新規な敷き布団を提案したものである。
【課題を解決するための手段】
【０００９】
本考案に係る敷き布団は、布状の布団皮内に、適宜厚さとクッション性を備えると共に、所定の保形性を備えた板状の中芯体と、前記中芯体の上層に適宜厚さの布団綿で形成した中綿体を積層して充填され、且つ前後方向で４分割して並列すると共に、分割個所の表裏面で交互に連結してなることを特徴とするものである。
【００１０】
而して前記敷き布団は、上層が中綿体で下層が中芯体であり、中綿体が十分な吸湿性を備えることになり、綿詰め布団の機能を担い、中芯体が保形性とクッション性を備えるマットレスの機能を担うので、１枚の敷き布団で、綿詰め布団とマットレスの重ね敷きと同等の作用をなすことになる。
【００１１】
また中芯体の保形性と４つ折り構成を採用したことによって、乱れ防止バンドなどを必要とすることなく、４つ折りの折り畳み状態が安定に維持されるので、横置きでも縦置きのどちらの状態でも押し入れに収納できることになる。
【考案の効果】
【００１２】
本考案の構成は、上記のとおりで、１枚で綿詰め布団とマットレスの重ね敷き状態と同様の機能を備えることになり、布団の上げ下ろしに際して作業が簡素化さると共に、その収納に際しても折り畳み保形性を有することで、押し入れ等への収納作業に際しても、場所に限定されることなく押し入れ内の空所に簡単に収めることができ、収納作業も容易になるものである。
【図面の簡単な説明】
【００１３】
【図１】本考案の実施形態の全体斜視図。
【図２】同断面図。
【図３】同折り畳み状態の斜視図。
【考案を実施するための形態】
【００１４】
次に本考案の実施形態について説明する。実施形態に示した敷き布団は、表裏の布団皮１，２と、中芯体３と、中綿体４で構成される。
【００１５】
表裏の布団皮１，２は、１００％木綿生地を使用するものであり、中芯体３及び中綿体４を包むもので、後述する分割縁ａ，ｂで表裏縫合されるものである。
【００１６】
中芯体３は、上面を細かな凹凸面とした高密度ウレタン（プロファイルウレタン）で形成され、形成しようとする布団の大きさ（１００ｃｍ×２００ｃｍ）を、長手方向に縦列するように４分割（１００ｃｍ×５０ｃｍ）したもので、適宜な厚さ（６０ｍｍ）を備えたものである。
【００１７】
中綿体４は、羊毛５０％とハイエアロール５０％の羊毛混で、約２．０ｋｇを形成しようとする布団の大きさに広げ（２．５ｃｍ厚）、表側布団皮１と一体となるようにキルティング状に縫合（さし縫い）する。
【００１８】
そして裏側布団皮２上に中芯体３を長手方向に並列すると共に、中芯体３の上面に中芯体３と表側布団皮１を重ね、中芯体３が各々独立して布団皮内に収まるように、布団周囲部分と、布団の中間部分の分割縁ａの表側及び分割縁ａの前後（長手方向）の分割縁ｂの裏側で、裏側布団皮２と縫合するものである。
【００１９】
従って前記の敷き布団は、分割体Ａ，Ｂ，Ｃ，Ｄが表裏の縫合個所で接続され敷き布団が形成されるもので、繊維綿の敷き布団の機能とウレタンの中芯体による保形性の機能を併せ持つと共に、４つ折り構成でコンパクトな収納が可能となったものである。
【００２０】
尚本考案は前記実施形態に限定されるものではなく、布団の各サイズは、任意に定められるものであり、その使用材質も、例えば布団皮は、木綿１００％の他にも化繊地、羊毛地、麻地やそれぞれの混紡地等未任意のものが採用できるものであり、中綿体においても木綿綿、羊毛綿、麻綿、化繊綿（一般にポリエステル綿）や、それぞれの混合綿を採用でき、更に中芯体においても、発泡ウレタンの他に、発泡ラテックス、発泡ポリエチレン、圧縮固綿等が採用でき、プロファイル構造の採用も任意である。
【符号の説明】
【００２１】
１    表側布団皮
２    裏側布団皮
３    中芯体
４    中綿体
【図１】
0003157167.tif 000003
【図２】
0003157167.tif 000004
【図３】
0003157167.tif 000005
(57)【要約】      （修正有）【課題】監視カメラシステムを安易に移動させ、設置工事等の大幅な簡略化を図るため各機器を一体化した移動式録画装置を提供する。【解決手段】本体ケース１に表示部２、記録部３、電源部４、本体ケースより伸びる棒状の塔６に、撮影部５を搭載し、本体のみで録画装置を稼動させる。本体下部の移動用タイヤ７の上下により移動させ、転倒防止ブロック８により安定させる。これにより設置工事等の大幅な簡略化をし、容易に録画装置を移動させることができる。【選択図】図１
0003157130.tif 000002
【実用新案登録請求の範囲】
【請求項１】
金属製ケースに、録画機、モニタ及び、電源バッテリー、を収納し、金属製ケース上部に垂直に設けた、棒状の塔の上部にカメラを収納し、金属製ケース下部に移動用タイヤと、転倒防止のブロックを、それぞれ設けたことを特徴とする録画装置。
【考案の詳細な説明】
【技術分野】
【０００１】
本考案は、街頭、駐車場等における工事等の簡略化をし安易に監視カメラシステムの移動を可能にする、録画装置に関するものである。
【背景技術】
【０００２】
通常、街頭、駐車場等の監視カメラシステムは地中より搭を立て、搭に電源を引き込みカメラ、別に用意されたケースに録画機、モニタによって構成され、それぞれ専用配線、取付工事が必要である。
【考案の概要】
【考案が解決しようとする課題】
【０００３】
監視カメラシステムは、埋込み基礎工事設置後、安易にシステムの移動ができない。工事において大きなウェイトを締める埋込み基礎工事、配線工事の簡略化を図るため、塔、カメラ、録画機、モニタ、移動用タイヤ、それぞれの機能を一体化し、埋込み基礎工事、配線工事の大幅な削減を目指す。
【課題を解決するための手段】
【０００４】
金属製ケースに、録画機、モニタ及び、電源バッテリー、を収納し、金属製ケース上部に垂直に設けた、棒状の塔の上部にカメラを収納し、金属製ケース下部に移動用タイヤと、転倒防止のブロックを、それぞれ設けたことを特徴とする録画装置。本録画装置の構成は本体ケース、モニタ、録画機、搭、カメラ、移動用タイヤ、転倒防止ブロックである。金属製の堅牢な本体ケースにモニタ、録画機、電源バッテリーを収納、棒状の塔にカメラを収納し、それぞれの機能の一体化により、カメラと録画機及びモニタをつなぐ配線を簡略化し配線工事をなくした。本体下部のタイヤと転倒防止ブロックにより簡単にシステムの移動を実現化することができる。
【考案の効果】
【０００５】
本体下部のタイヤおよび転倒防止ブロックの切り替えにより安易に移動、移動後の本体の転倒防止を図ることができる。電源工事も必要ないため専門知識がなくとも、多発する犯罪地域の移動化と共にすばやく監視システムの移動をすることで、犯罪やいたずらの抑止につなげることができる。
【図面の簡単な説明】
【０００６】
【図１】本考案の録画装置の全体図である。
【考案を実施するための形態】
【０００７】
本録画装置はタイヤ部を下げ本体を手で押して移動するものであって、目的地に移動後タイヤ部を上げ、転倒防止ブロックを接地するように切り替えをし犯罪多発箇所にカメラを向ける。
【実施例】
【０００８】
添付図面に従って実施例を説明する。金属製のケース１には、録画機３、モニタ２及び電源バッテリー４を収納し録画装置となる。上部のカメラ５が監視している映像を表示させるためにモニタ２を備えている。録画機3はカメラ映像を記録し、また過去の映像を再生させることもできる。電源バッテリー4は録画装置を稼動させる。カメラ5は目標の方向へ向きを調整することができ被写体を監視し撮影するためのものである。棒状の塔６はカメラを高い位置にすることにより死角をなくすための部品。移動用タイヤ7は本録画装置を押して移動することができる。更に転倒防止ブロック8は、移動後に本体を安定させることができる。
金属製ケースは鉄板、アルミ板の金属製がよく、録画機、モニタ及び電源バッテリーを収納するために高さ方向に棚を設け収納する構造とする。また、前面には例えば観音開き等の扉を設け本録画装置への悪戯防止用の鍵をかける構造とする。
移動用タイヤは取付用ナットで高さ調整できる構造とする。
【符号の説明】
【０００９】
１  金属製ケース
２  モニタ
３  録画機
４  電源バッテリー
５  カメラ
6  塔
7  移動用タイヤ
8  転倒防止ブロック
【図１】
0003157130.tif 000003
(57)【要約】      （修正有）【課題】着物を着る際に帯に扇子収納具ごと差し込み易い厚みと美観を提供し、布製や和紙製とは違って、扇子が水に濡れ難い構造を提供する。【解決手段】同じ大きさで重なり合う外部の形状ａとｂを楕円形の形で厚みを少なくする事によって着物と帯の間に差し込み易くする事と、扇子を収納するｃは長方形の形状で扇子を収納するに適した厚みと幅そして溝の深さを有し、表面塗装をした木製、硬化プラスチック、竹製といった硬い素材からなり、本体ｂの差込み部ｃをフタａの差込まれる溝ｄに差し込み、その密着性で外部からの水が入り難く扇子が濡れにくい構造とした。【選択図】図１
0003157184.tif 000002
【実用新案登録請求の範囲】
【請求項１】
収納具が硬い素材の塗装具で、さやに納めた短刀の形である事を特徴とした雨水などにも濡れ難くい扇子入れ。
【請求項２】
持ち歩きの際、布製と和紙製とはちがい、木製、竹製、硬化プラスチック製などの硬い樹脂製などから出来ており、さやに納めた短刀の形である事を特徴とした雨水などにも濡れ難くい扇子入れ。
【考案の詳細な説明】
【技術分野】
【０００１】扇子入れの強度と形状に関する。
【背景技術】
【０００２】現在ある扇子入れには、布製と和紙製などがある。
【考案の開示】
【考案が解決しようとする課題】
【０００３】背景の技術によれば、収納された扇子が水に濡れやすい事と収納具自体も水に濡れた場合汚れやすい。そこで水に濡れにくく和装に合った形状のものを提供する事を課題とした。
【課題を解決するための手段】
【０００４】課題を解決するために、扇子が水に濡れ難く、収納具自体も強度な素材で、なおかつ、断面が楕円形に近い形で、和装に合った短刀をさやに納めた形態を特徴とした扇子入れである。
【考案の効果】
【０００５】収納具を強度で和装に合った形状のものを提供することで、収納具と共に持参し易くなり扇子や収納具が損傷から防げる効果を提供。
【考案を実施するための最良の形態】
【０００６】図１のａとｂの本体とフタは木製、竹製、硬化プラスチック製などの硬い樹脂製からなり、断面は６角形から数角形の角がある無しに関らず楕円形に近い形状で、さやを短刀に納めたような形をしている。
【実施例】
【０００７】図１に示す実施形態の本体は丸みの楕円形だが、六角から数角形の楕円形に近い形状も有し、又、実施形態の両先端部分ｅとｆは滑らかにとがり気味の丸みの形状ではあるが、先端部は普通の丸型、円柱型も有す。
【図面の簡単な説明】
【０００８】
【図１】実施形態を示す斜視図である
【図２】本体とフタの平面図である
【符号の説明】
【００１０】ａフタ、  ｂ本体、  ｃ本体の差込み部、  ｄフタの差込まれる溝    ｅフタ先端部    ｆ本体の先端部
【図１】
0003157184.tif 000003
【図２】
0003157184.tif 000004
(57)【要約】      （修正有）【課題】田螺による稲穂の食害の対策として田螺捕獲に用いる竿付き網の形状、強度を改善した網を提供する。【解決手段】田螺捕獲に用いる竿付き網の口部分を帯状にして水田への差込みを容易にできまた、網の口を直径１１０ｍｍにする事により稲を傷付けずに田螺を捕獲できる。強度も網の口を２重にして補強部材を使う事により竿との接合部分の強度も増す。また、素材はアルミ素材を用いる事により軽量で作業が楽に行える。【選択図】図１
0003157183.tif 000002
【実用新案登録請求の範囲】
【請求項１】
竿付き網で帯び状の網の口また寸法など、水田での使用に適した形状。網の口部分と竿の接合の強度、取り扱い易い軽量を特徴とした田螺捕獲に最適な竿付き網。
【考案の詳細な説明】
【技術分野】
【０００１】  本考案は、水田において田螺を捕獲する為の竿付き網に網の口部分を帯び状にし、捕獲に最適な寸法の網である。
【背景技術】
【０００２】  水田において田螺を捕獲する場合の道具は、虫取り用の竿付き網や魚取り用の玉網等で行っていた。
【先行技術文献】
【特許文献】
【０００３】
【特許文献１】  特開平０６−０３０６７８  公報
【非特許文献】
【０００４】
【非特許文献１】  株式会社昌栄  製品カタログ  品名：玉網セット  品番：１１９
【考案の概要】
【考案が解決しようとする課題】
【０００５】  現在、水田に田螺が多く繁殖し稲への食害は深刻な問題となっている。現在は魚取り用の玉網、虫取り用の竿付き網で行っているのが現状。しかし強度不足、網の口の形状等が大きく稲を傷付けるなどし、困難を要し行っているのが現状。よって強度、形状の点を解決しようとするものである。
【課題を解決するための手段】
【０００６】  本考案は、網の口部分を幅２０ｍｍ、厚さ２ｍｍの帯状の金属を円形にする事により水田へ差込際、泥との抵抗を少なくし容易に差込が可能となる形状。竿との接合部分は帯状の口の部分を重ね合わせ接合する事により強度を増すことにより問題を解決している。【０００７】  水田での稲の間隔は一般的に１２０ｍｍから１３０ｍｍとなっており、稲を傷付けずに網を差し込めるように網の口部分の直径を１１０ｍｍにし形状の問題を解決している。
【図面の簡単な説明】
【０００８】
【図１】本考案のジャンボタニシキャッチャーの一実施例を示す図である。
【図２】本考案のジャンボタニシキャッチャーの網の口と竿の接合を示す図である。
【図３】本考案のジャンボタニシキャッチャーの正面図、側面図である。
【考案を実施するための形態】
【０００９】  網の口部分は帯状のアルミ素材の端を重ね合わせ直径１１０ｍｍの円形にし、重ね合わせた部分を内側と外側にボルトプレートで挟み込み中央位置で竿と接合する。よって強度が増す。網は深さ２００ｍｍ程度の円錐形のものを網の口部分に接合する。
【実施例】
【００１０】  以下、添付図面に従って一実例を説明する。網の口２は２０ｍｍ幅のアルミ素材にて直径１１０ｍｍの円形状に整形し、網１を網の口２に接合する。【００１１】  網の口２の端と端を重ね合わせ網の口２の内側にボトルプレート３ａと外側にボトルプレート３ｂの間に挟み込みジョイントボルト５ａとジョイントボルト５ｂで接合する。【００１２】  強度もあり、軽量なアルミ素材の竿６と網の口２とボルトプレート３ａと３ｂをジョイントボルト４で接合する。
【符号の説明】
【００１３】  １  網
２  アルミ素材の網の口
３  網の口を挟みこむアルミ素材のボルトプレート
４  網の口と竿を結合するアルミ素材のジョイントボルト
５  網の口とボルトプレートを結合するアルミ素材のジョイントボルト
６  アルミ素材の竿
【図１】
0003157183.tif 000003
【図２】
0003157183.tif 000004
【図３】
0003157183.tif 000005
【手続補正書】
【提出日】平成21年6月4日(2009.6.4)
【手続補正１】
【補正対象書類名】実用新案登録請求の範囲
【補正対象項目名】全文
【補正方法】変更
【補正の内容】
【実用新案登録請求の範囲】
【請求項１】
田螺捕獲用の竿付き網であって、竿に固定され網を取り付けられる口部分が帯状の金属板により筒状に形成され、前記口部分の直径を水田において植え付けられる稲の間隔よりも狭くしたことを特徴とする田螺獲器。
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
田螺捕獲用の竿付き網であって、竿に固定され網を取り付けられる口部分が帯状の金属板により筒状に形成され、前記口部分の直径を水田において植え付けられる稲の間隔よりも狭くしたことを特徴とする田螺捕獲器。
(57)【要約】【課題】  本考案は防水布にフックとループの機能を備えた面ファスナーを取り付け、靴紐の結び目をその面ファスナーではさみ、その接着により靴紐のほどけを防ぐことを特徴とする靴紐のほどけ防止具を提供する。【解決手段】  防水布（１）にフックとループの機能を備えた面ファスナー（２）を取り付け、靴（３）を履き、靴紐（４）の結び目をその面ファスナーではさみ、その接着により靴紐がほどけることを防ぐことを特徴とする靴紐のほどけ防止具。【選択図】図１
0003157188.tif 000002
【実用新案登録請求の範囲】
【請求項１】
防水布（１）にフックとループの機能を備えた面ファスナー（２）を取り付け、靴（３）を履き、靴紐（４）の結び目をその面ファスナーではさみ、その接着により靴紐がほどけることを防ぐことを特徴とする靴紐のほどけ防止具。
【考案の詳細な説明】
【技術分野】
【０００１】  本考案は、防水布にフックとループの機能を備えた面ファスナーを取り付け、靴紐の結び目をその面ファスナーではさみ、その接着により靴紐のほどけを防ぐことを特徴とする靴紐のほどけ防止具に関するものである。
【背景技術】
【０００２】  従来、靴紐は靴をはいて結び、そのままの状態で歩いていた。
そのため、ほどけた靴紐はその都度結び直していた。
なお、靴紐を器具に通しその開閉で紐を結ぶものの発明はある（特許文献１）。
【先行技術文献】
【０００３】
【特許文献１】  特許公開２００８−２２０９０８号公報
【考案の概要】
【考案が解決しようとする課題】
【０００４】  そのために、次のような問題点があった。
歩いている内に靴紐がゆるみほどけてしまう。
本考案は以上の問題点を解決しようとするものである。
【課題を解決するための手段】
【０００５】  防水布（１）にフックとループの機能を備えた面ファスナー（２）を取り付け、靴（３）を履き、靴紐（４）の結び目をその面ファスナーではさみ、その接着により靴紐がほどけることを防ぐことができる。
以上を特徴とする靴紐のほどけ防止具である。
【考案の効果】
【０００６】  本考案は、靴紐の結び目を面ファスナーではさみ込むので、歩いている途中で靴紐がほどけることがない。そのため歩いている途中で靴紐を気にすることや、又ほどけた靴紐をかがんで結び直す煩わしさがない。
【考案を実施するための最良の形態】
【０００７】以下、本考案の実施の形態を説明する。
防水布（１）にフックとループの機能を備えた面ファスナー（２）を取り付け、雨やほこりにも耐えられる物にする。
本案は以上のような構造でこれを使用するときは、靴（３）を履き、靴紐（４）を普通に結び、その結び目を面ファスナーではさみ使用する。
【図面の簡単な説明】
【０００８】
【図１】    本考案の斜視図である。
【図２】    本考案の使い方を説明した斜視図である。
【図３】    本考案の使用状態を示した斜視図である。
【図４】    本考案の使用状態を示した拡大斜視図である。
【符号の説明】
【０００９】    １    防水布
２    フックとループの機能を備えた面ファスナー
３    靴
４    靴紐
【図１】
0003157188.tif 000003
【図２】
0003157188.tif 000004
【図３】
0003157188.tif 000005
【図４】
0003157188.tif 000006
【手続補正書】
【提出日】平成21年11月4日(2009.11.4)
【手続補正１】
【補正対象書類名】実用新案登録請求の範囲
【補正対象項目名】請求項１
【補正方法】変更
【補正の内容】
【請求項１】
防水布（１）に面ファスナー（２）を取り付け、靴紐（４）の結び目をその面ファスナーではさむことを特徴とする靴紐のほどけ防止具。